(57)【要約】【課題】  部品点数を削減するとともに組付工数を削減することにより製造コストの低減を図る。【解決手段】  アッパーケース２には、ダイヤルボタンと機能ボタンとを摺動自在に支持するダイヤルボタン用摺動孔２５と機能ボタン用摺動孔２６およびスピーカ用の音孔３４が設けられている。ラバーシート５はアッパーケース２内に設けられ、押し下げられたダイヤルボタンと機能ボタンを復帰させる。ラバーシート５には、スピーカ用の音孔３４まで延設する延設部６０が一体に設けられている。延設部６０には、スピーカ８が嵌合し内周縁にスピーカ８の前部に係合する係合部６２を有する嵌合孔６１が設けられている。ロアーケース４の内面には、ロアーケース４をアッパーケース２に結合することにより、スピーカ８の背面部８２ａを押圧する押圧部４２が設けられている。【選択図】  図１
2007208624.tif 000002
【特許請求の範囲】
【請求項１】
押しボタンを摺動自在に支持する押しボタン用摺動孔およびスピーカ用の音孔が設けられた第１のケースと、この第１のケース内に設けられ押し下げられた前記押しボタンを復帰させるラバーシートと、前記第１のケースと結合することにより機器筐体を形成する第２のケースとを備え、前記ラバーシートに前記スピーカ用の音孔まで延設する延設部を一体に設け、この延設部に、スピーカが嵌合し内周縁にスピーカの前部に係合する係合部を有する嵌合孔を設け、前記第２のケースに前記スピーカの背面部を押圧する押圧部を設けたことを特徴とするスピーカの取付構造。
【請求項２】
前記ラバーシートの嵌合孔の外周縁に複数の位置決め孔を設け、前記第１のケースにこれら位置決め孔のそれぞれに係入される複数のピンを突設したことを特徴とする請求項１記載のスピーカの取付構造。
【発明の詳細な説明】
【技術分野】
【０００１】
本発明は、各種電子機器に備えられるスピーカの取付構造に関するものである。
【背景技術】
【０００２】
この種のスピーカの取付構造においては、筺体等のケースにスピーカを取り付けたとき、スピーカの取付け如何によっては、いわゆる音割れなどの異音（歪み音）が発生し聞き取りにくくなる。このため、スピーカをケースに取り付ける際にスピーカとケースとの間にゴム等の弾性部材を介装し、この弾性部材の弾性変形を利用してスピーカの固定を堅固なものとしている。
【０００３】
従来のスピーカの取付構造としては、機器ケースに立設され内周壁に係合部が設けられた円筒状のスピーカ収納部と、このスピーカ収納部を挟むよう機器ケースに立設された支持部および係止部と、弾性変形可能な短冊状のスピーカ押え部材と、リング状のパッキンとを備えたものがある。このような構成において、スピーカ収納部の係合部にパッキンを介してスピーカを載置し、スピーカ押え部材の一端部を支持部に支持し、他端部を係止部に係止することにより、スピーカ押え部材の弾性力によってスピーカをスピーカ収納部に押さえ込んだ状態で保持している（例えば、特許文献１参照）。
【特許文献１】特開平１０−３２７４８９号公報（段落「００１２」〜「００１８」、図１）
【発明の開示】
【発明が解決しようとする課題】
【０００４】
上述した従来のスピーカの取付構造においては、振動防止部材として機能するパッキンやスピーカを固定するためのスピーカ押え部材を必要とするため部品点数が増加するだけではなく組付工数も増加するため製造コストが嵩むという問題があった。
【０００５】
本発明は上記した従来の問題に鑑みなされたものであり、その目的とするところは、部品点数を削減するとともに組付工数を削減することにより製造コストの低減を図ったスピーカの取付構造を提供するところにある。
【課題を解決するための手段】
【０００６】
この目的を達成するために、請求項１に係る発明は、押しボタンを摺動自在に支持する押しボタン孔およびスピーカ用の音孔が設けられた第１のケースと、この第１のケース内に設けられ押し下げられた前記押しボタンを復帰させるラバーシートと、前記第１のケースと結合することにより機器筐体を形成する第２のケースとを備え、前記ラバーシートに前記スピーカ用の音孔まで延設する延設部を一体に設け、この延設部に、スピーカが嵌合し内周縁にスピーカの前部に係合する係合部を有する嵌合孔を設け、前記第２のケースに前記スピーカの背面部を押圧する押圧部を設けたものである。
【０００７】
請求項２に係る発明は、請求項１に係る発明において、前記ラバーシートの嵌合孔の外周縁に複数の位置決め孔を設け、前記第１のケースにこれら位置決め孔のそれぞれに係入される複数のピンを突設したものである。
【発明の効果】
【０００８】
請求項１に係る発明によれば、スピーカを堅固に固定するための弾性部材を特別に用意する必要がないとともに、スピーカを固定するためのスピーカ押え部材を必要としないため、部品点数を削減することができるとともに組付工数も削減できるから、製造コストの低減を図ることができる。また、スピーカをラバーシートの嵌合孔に嵌合させ、第１のケースと第２のケースとを結合することにより、スピーカが固定されるためスピーカの取付けが容易になり、組立時間も短縮することができる。
【０００９】
請求項２に係る発明によれば、スピーカ用の音孔に対してスピーカが正確に位置決めて取り付けられる。
【発明を実施するための最良の形態】
【００１０】
以下、本発明の実施の形態を図に基づいて説明する。図１は本発明に係るスピーカの取付構造を実施した電話機の分解斜視図、図２は同じくラバーシートとスピーカとの斜視図、図３は同じくラバーシートとスピーカとを取り付けた状態を示すアッパーケースを内側から見た斜視図、図４は図３におけるIV-IV 線断面図、図５は図３におけるV-V 線断面図である。
【００１１】
図１に全体を符号１で示す電話機は、第１のケースとしてのアッパーケース２と、このアッパーケース２と結合されることにより機器筺体を形成する第２のケースとしてのロアーケース４と、アッパーケース２内に設けられるラバーシート５および制御基板７（図５参照）と、ラバーシート５に取り付けられるスピーカ８とによって概ね構成されている。
【００１２】
アッパーケース２は、図１に示すようにプラスチックによって図中上方が開口した浅底の箱状に形成されており、ダイヤルボタン２１や機能ボタン２２（図５参照）を摺動自在に支持する本体部２３と、ハンドセット（図示せず）が載置されるハンドセット載置部２４とからなる。本体部２３の前板には、マトリックス状に配置されたダイヤルボタン用摺動孔２５と多数の機能ボタン用摺動孔２６とが設けられている。また、本体部２３の前板の内面には、ロアーケース４との結合用スタッド２７と、制御基板７を取り付けるための制御基板用スタッド２８と、制御基板７の一端部に爪部が係合する係合片２９と、ラバーシート用位置決めピン３０とが一体に立設されている。
【００１３】
３１はスタッド３２に取り付けられる表示器（図示せず）が嵌合する窓である。３３はハンドセット載置部２４の内面に立設されたロアーケース４との結合用スタッドである。３４はハンドセット載置部２４の中央部に設けられたスピーカ用の音孔であって、このスピーカ用の音孔３４の周囲に３本の延設部用位置決めピン３５がハンドセット載置部２４の内面に立設されている。
【００１４】
ロアーケース４は、図１に示すようにプラスチックによって図中下方が開口した浅底の箱状に形成され、底板にはアッパーケース２の結合用スタッド２７，３３に対応して凹部４１が設けられており、この凹部４１の底部には、図示を省略しているがねじが挿通される挿通孔が設けられている。４２はロアーケース４の底板の内面に一体に設けられた押圧部であって、ロアーケース４をアッパーケース２に結合させることにより、後述するようにラバーシート５に取り付けられたスピーカ８の背面部８２ａを押圧する。
【００１５】
ラバーシート５は、図２に示すようにゴム状部材によって略長方形に形成されており、マトリックス状に配置されたダイヤルボタン支持部５１と、多数の機能ボタン支持部５２とが一体に設けられている。ダイヤルボタン支持部５１には、図５に示すようにこのダイヤルボタン支持部５１に取り付けられたダイヤルボタン２１が押し下げられたときに、弾性変形して押し下げられたダイヤルボタン２１を復帰させるためにスカート状に形成された支持体５３が設けられている。また、このダイヤルボタン支持部５１には、ダイヤルボタン２１を押し下げることにより、制御基板７のスイッチ部（図示せず）を閉じる導電部５４が設けられている。
【００１６】
機能ボタン支持部５２には、この機能ボタン支持部５２に取り付けられた機能ボタン２２が押し下げられたときに、弾性変形して押し下げられた機能ボタン２２を復帰させるためにスカート状に形成された支持体５５が設けられている。また、この機能ボタン支持部５２には、機能ボタン２２を押し下げることにより、制御基板７のスイッチ部（図示せず）を閉じる導電部５６が設けられている。図２において、５７はラバーシート５に多数設けられた位置決め用孔であって、上記したアッパーケース２のラバーシート用位置決めピン３０に係入させることにより、ラバーシート５がアッパーケース２の所定位置に位置付けられる。
【００１７】
ラバーシート５には、上記したアッパーケース２のスピーカ用の音孔３４まで延設される延設部６０が一体に設けられており、この延設部６０には、スピーカ８の大径部８１の径Ｒよりも内径がわずかに小さく形成されスピーカ８が嵌合する嵌合孔６１が設けられている。この嵌合孔６１の内周縁には、スピーカ８の大径部８１の前部８１ａに係合するリング状に形成された係合部６２が設けられている。また、嵌合孔６１の外周縁には３個の位置決め孔６３が設けられており、これら位置決め孔６３に上記したアッパーケース２の延設部用位置決めピン３５が係入されることにより、嵌合孔６１がスピーカ用の音孔３４に位置合わせされる。
【００１８】
次に、このように構成された電話機におけるスピーカの取付方法について説明する。先ず、アッパーケース２を、図１に示すように内側が上方を指向するように、天地方向が逆となるように作業台等に載置する。この状態で、アッパーケース２の上方から多数のダイヤルボタン２１と多数の機能ボタン２２とを、アッパーケース２のダイヤルボタン用摺動孔２５と多数の機能ボタン用摺動孔２６とのそれぞれに挿入する。ラバーシート５の嵌合孔６１を弾性変形させながら嵌合孔６１にスピーカ８の大径部８１を押し入れることにより、スピーカ８の大径部８１を嵌合孔６１に嵌合させる。スピーカ８の大径部８１の前部８１ａを嵌合孔６１の係合部６２に係合させることにより、スピーカ８をラバーシート５の延設部６０に取り付ける。
【００１９】
次いで、アッパーケース２の上方からラバーシート５の位置決め用孔５７をアッパーケース２のラバーシート用位置決めピン３０に係入させ、かつ位置決め用孔６３をアッパーケース２の延設部用位置決めピン３５に係入させることにより、ラバーシート５によってアッパーケース２の内面を覆う。この状態で、制御基板７の一端部をアッパーケース２の係合片２９の爪部に係合させて、制御基板７をアッパーケース２の上方からラバーシート５上に積層する。制御基板７の挿通孔に挿通させたねじ（いずれも図示せず）をアッパーケース２の制御基板用スタッド２８に螺合させることにより、ラバーシート５と共に制御基板７をアッパーケース２の内面に取り付ける。
【００２０】
ロアーケース４の開口端面をアッパーケース２の開口端面に対接させ、ロアーケース４の凹部４１に挿通させたねじをアッパーケース２の結合用スタッド２７に螺合させることにより、ロアーケース４とアッパーケース２とを結合させ機器筺体を形成する。このとき、ロアーケース４の押圧部４２が、図４に示すようにスピーカ８の小径部８２の背面部８２ａをわずかに押圧するので、嵌合孔６１の係合部６２がわずかに弾性変形する。この係合部６２のわずかな弾性変形により、スピーカ８がこの係合部６２と押圧部４２とに挟持された状態で弾持されから、スピーカ８が嵌合孔６１に堅固に固定される。
【００２１】
このように、スピーカ８を取り付けるための嵌合孔６１を、ラバーシート５の延設部６０に設け、嵌合孔６１の内周縁に設けた係合部６２の弾性変形を利用してスピーカ８を取り付けるようにしたことにより、スピーカ８を堅固に固定するための弾性部材が不要になるから部品点数を削減することができる。また、ロアーケース４の押圧部４２によってスピーカ８を固定することができるため、スピーカ８を固定するための部材が不要になるから部品点数を削減することができる。したがって、部品点数を削減できることにより、組付工数も削減することができるため、製造コストの低減を図ることができる。
【００２２】
また、アッパーケース２にロアーケース４を結合することにより、ロアーケース４の押圧部４２がスピーカ８の背面部８２ａを押圧し、押圧部４２と嵌合孔６１の係合部６２とでスピーカ８を固定できるため、スピーカ８の取付けが容易になり、組立時間も短縮することができる。また、ラバーシート５の嵌合孔６１の外周縁に、アッパーケース２の延設部用位置決めピン３５に係入される位置決め孔６３を設けたことにより、スピーカ用の音孔３４に対してスピーカ８が正確に位置決めされて取り付けられる。
【図面の簡単な説明】
【００２３】
【図１】本発明に係るスピーカの取付構造を実施した電話機の分解斜視図である。
【図２】本発明に係るスピーカの取付構造を実施した電話機におけるラバーシートとスピーカとの斜視図である。
【図３】本発明に係るスピーカの取付構造を実施した電話機において、ラバーシートとスピーカとを取り付けた状態を示すアッパーケースを内側から見た斜視図である。
【図４】図３におけるIV-IV 線断面図である。
【図５】図３におけるV-V 線断面図である。
【符号の説明】
【００２４】
１…電話機、２…アッパーケース（第１のケース）、４…ロアーケース（第２のケース）、５…ラバーシート、７…制御基板、８…スピーカ、２５…ダイヤルボタン用摺動孔、２６…機能ボタン用摺動孔、３４…スピーカ用の音孔、３５…延設部用位置決めピン、４２…押圧部、５３，５５…支持体、６０…延設部、６１…嵌合孔、６２…係合部、６３…位置決め孔、８１ａ…前部、８２ａ…背面部。
【図１】
2007208624.tif 000003
【図２】
2007208624.tif 000004
【図３】
2007208624.tif 000005
【図４】
2007208624.tif 000006
【図５】
2007208624.tif 000007